(57)【要約】【課題】フィルターを通る空気の冷却又は加湿性能の向上を図った補助冷却装置、気化加湿器及び冷風器を提供する。【解決手段】冷凍サイクルの凝縮器２０の放熱部に対向して配置される通風性を有するフィルター２１と、フィルター２１に水を供給する給水装置３０とを備え、放熱部に吸い込まれる空気がフィルターを通過する際にフィルターに供給された水により冷却されるようにした補助冷却装置２０であって、給水装置は、フィルターの通風面全体に向けて略均一に水を噴射する。【選択図】図１
2009243700.tif 000002
【特許請求の範囲】
【請求項１】
冷凍サイクルの熱交換器の放熱部に対向して配置される通風性を有するフィルターと、該フィルターに水を供給する給水装置とを備え、前記放熱部に吸い込まれる空気が前記フィルターを通過する際に前記フィルターに供給された水により冷却されるようにした補助冷却装置であって、前記給水装置は、前記フィルターの通風面全体に向けて略均一に水を噴射することを特徴とする補助冷却装置。
【請求項２】
前記給水装置は、前記フィルターの通風面の斜め上方から水を噴射するように配置されていることを特徴とする請求項１記載の補助冷却装置。
【請求項３】
前記フィルターの母材の少なくとも一部に、給水された水を保持するための多数の微細な突起が形成されていることを特徴とする請求項１又は請求項２記載の補助冷却装置。
【請求項４】
前記微細な突起は、静電植毛により植設された植毛繊維であることを特徴とする請求項３記載の補助冷却装置。
【請求項５】
通風性を有するフィルターと、該フィルターに水を供給する給水装置とを備え、前記フィルターを通過する空気が前記フィルターに供給された水により加湿されるようにした気化加湿器であって、前記給水装置は、前記フィルターの通風面全体に向けて略均一に水を噴射することを特徴とする気化加湿器。
【請求項６】
前記給水装置は、前記フィルターの通風面の斜め上方から水を噴射するように配置されていることを特徴とする請求項５記載の気化加湿器。
【請求項７】
前記フィルターの母材の少なくとも一部に、給水された水を保持するための多数の微細な突起が形成されていることを特徴とする請求項５又は請求項６記載の気化加湿器。
【請求項８】
前記微細な突起は、静電植毛により植設された植毛繊維であることを特徴とする請求項７記載の気化加湿器。
【請求項９】
通風性を有するフィルターと、該フィルターに水を供給する給水装置とを備え、前記フィルターを通過する空気が前記フィルターに供給された水により冷却されるようにした冷風器であって、前記給水装置は、前記フィルタの通風面全体に向けて略均一に水を噴射することを特徴とする冷風器。
【請求項１０】
前記給水装置は、前記フィルターの通風面の斜め上方から水を噴射するように配置されていることを特徴とする請求項９記載の冷風器。
【請求項１１】
前記フィルターの母材の少なくとも一部に、給水された水を保持するための多数の微細な突起が形成されていることを特徴とする請求項９又は請求項１０記載の冷風器。
【請求項１２】
前記微細な突起は、静電植毛により植設された植毛繊維であることを特徴とする請求項１１記載の冷風器。
【発明の詳細な説明】
【技術分野】
【０００１】
本発明は、冷凍サイクルの熱交換器の放熱部を間接冷却する補助冷却装置、気化加湿器及び冷風器に関し、特に、これらの機器が有するフィルターを通る空気の冷却又は加湿性能の改良に関する。
【背景技術】
【０００２】
空調・冷凍・冷蔵装置等の冷凍サイクルに用いられる凝縮器（コンデンサー）は、冷媒を液化するために冷却する必要があり、その効率を上げるために、放熱部を間接的に冷却する補助冷却装置が用いられる。
【０００３】
図４は下記特許文献１に開示された従来の補助冷却装置２０’を付設した冷凍サイクルの一例を示す概略図である。冷凍サイクルは、コンプレッサ１１、凝縮器２、ドライヤ１４、膨張弁１３、及び蒸発器１２が冷凍サイクル１０を構成すべく冷媒管７で連結されている。凝縮器２の冷却空気の吸込面から一定距離離れた位置に補助冷却装置２０’が設けられている。補助冷却装置２０’は、通風性を有するマット状のフィルター２１、冷却水を溜める貯水槽２５、及び給水装置３０’を具備している。
【０００４】
吸入空気の温度が設定値以上となったことをセンサ３４が感知すると、サーモスタット３３が作動して電磁弁３２を開き、給水装置３０’の給水管３１より散水ノズルを介してフィルター２１に冷却水が供給される。冷却水は、フィルター２１の上部からすだれ状となってフィルター２１を伝って流下しつつ、冷却ファン３が回転することで凝縮器２に吸い込まれる空気を冷却する。
【０００５】
図５は気化加湿器の従来例を示す斜視図である。気化加湿器５０は、フィルター５５と、その上方に配置された給水装置５１と、フィルター５５の下方に配置された余剰水回収器５３とを有している。給水装置５１から水５４を供給するとともにファン５２を回転させると、空気は図５において左から右に流動し、濡れたフィルター５５を通過する際に加湿される。なお、この気化加湿器と同様の構成で、フィルターを通過する空気を冷却する冷風器も提案されている。
【０００６】
【特許文献１】特開２００６−２００８１９号公報
【発明の開示】
【発明が解決しようとする課題】
【０００７】
上記従来の補助冷却装置、気化加湿器及び冷風器には、フィルターに供給された水がフィルター全体に浸透するのに時間がかかるという問題点があった。図６は、従来のフィルターへの水の浸透状態を模式的に示す説明図である。色が濃くなっている部分が水によりフィルターが濡れている状態を示している。図に示すように、給水装置から水を滴下すると、フィルター２１、５５は、上部より下方に向けて水が徐々に浸透してゆき、フィルター２１、５５全体に水が浸透するまで時間がかかるため、給水開始当初は、フィルター２１の下部に水が浸透しておらず、フィルター２１，５５の下部を通過する空気を冷却又は加湿することができない。よって、フィルター２１，５５を通過する空気を効率よく冷却又は加湿できなかった。
【０００８】
本発明は、上記課題に鑑みてなされたものであり、フィルターを通る空気の冷却又は加湿性能の向上を図った補助冷却装置、気化加湿器及び冷風器を提供することを目的とする。
【課題を解決するための手段】
【０００９】
上記目的を達成するため、本発明の補助冷却装置は、冷凍サイクルの熱交換器の放熱部に対向して配置される通風性を有するフィルターと、該フィルターに水を供給する給水装置とを備え、前記放熱部に吸い込まれる空気が前記フィルターを通過する際に前記フィルターに供給された水により冷却されるようにした補助冷却装置であって、前記給水装置は、前記フィルタの通風面全体に向けて略均一に水を噴射することを特徴とする。なお、前記給水装置は、前記フィルターの斜め上方から水を噴射するように配置されていてもよい。また、本発明は、前記フィルターの母材の少なくとも一部に、給水された水を保持するための多数の微細な突起（例えば静電植毛により植設された植毛繊維）が形成されている補助冷却装置に適用した場合に特に有効である。
【００１０】
また本発明の気化加湿器は、通風性を有するフィルターと、該フィルターに水を供給する給水装置とを備え、前記フィルターを通過する空気が前記フィルターに供給された水により加湿されるようにした気化加湿器であって、前記給水装置は、前記フィルタの通風面全体に向けて略均一に水を噴射することを特徴としている。なお、前記給水装置は、前記フィルターの通風面の斜め上方から水を噴射するように配置されていてもよい。また、本発明は、フィルターの母材の少なくとも一部に、給水された水を保持するための多数の微細な突起（例えば静電植毛により植設された植毛繊維）が形成されている気化加湿器に適用した場合に特に有効である。
また本発明の冷風器は、通風性を有するフィルターと、該フィルターに水を供給する給水装置とを備え、前記フィルターを通過する空気が前記フィルターに供給された水により冷却されるようにした冷風器であって、前記給水装置は、前記フィルタの通風面全体に向けて略均一に水を噴射することを特徴としている。なお、前記給水装置は、前記フィルターの通風面の斜め上方から水を噴射するように配置されていてもよい。また、本発明は、フィルターの母材の少なくとも一部に、給水された水を保持するための多数の微細な突起（例えば静電植毛により植設された植毛繊維）が形成されている冷風器に適用した場合に特に有効である。
【発明の効果】
【００１１】
本発明によれば、補助冷却装置、気化加湿器及び冷風器において、フィルターを通る空気の冷却又は加湿性能を向上することができる。
【発明を実施するための最良の形態】
【００１２】
以下、本発明を補助冷却装置に適用した実施の形態を説明する。
【００１３】
図１は、本発明の補助冷却装置を付設した冷凍サイクルの一例を示す概略図、図２は本発明の補助冷却装置のフィルターへの水の浸透状態を模式的に示す説明図である。なお、本実施形態において、図４に示した従来例と同一の部分には同一の符号を付して説明を省略する。本実施形態では、フィルター２１の通風面の前方に給水装置３０のスプレー４０が配置されている。図２に示すように、スプレー４０から、例えば霧状になった多くの水滴４１がフィルター２１の通風面全体へ給水される。すると、フィルター２１の通風面の全体に均一に水が浸透するため、フィルター２１を通過する空気はスプレー４０から水４１が噴射されてから短い時間で濡れた通風面を通過することとなる。すなわち、水４１が噴射されてから短い時間で通風面を通過する空気を効率よく冷却することができる。
【００１４】
図３は、フィルターに水を給水した時点からのフィルターの入口空気と出口空気の温度差を示す特性曲線である。実線は本実施形態、破線は図４に示す従来例（滴下式）を示している。従来の滴下式の給水の場合は、出口空気の温度が下がり始めるのが水を給水してから１０秒以上の時間がかかっており、冷却性能が一定になるまでは２５秒程度かかっている。これに対して本実施形態のスプレー式の給水の場合は、給水開始からすぐに出口空気の温度が下がりはじめ、１０秒以内に冷却性能が一定となっている。このように、スプレー式による給水は滴下式に比べて出口空気の温度が早く下がることが分かる。
【００１５】
スプレー４０からの給水が開始されてからのフィルター２１の出口空気の温度低下までの時間が短いため、より的確な温度制御が可能となり、給水量の低減等のコスト削減にもつながる。
【００１６】
なお、図５に示した気化加湿器や冷風器についても、上記の実施形態で示したようなスプレー４０を採用することで、上記実施形態と同様の効果を得ることができる。
【００１７】
なお、スプレー４０の位置は、補助冷却装置においても、あるいは気化加湿器又は冷風器においても、フィルターの通風面全体（またはそれに近い面積）に噴射可能な位置に設置すればよい。このため、通風面の正面だけではなく、斜め上方からの噴射であってもよい。この場合、スペースが節約できるとともに、水が補助冷却装置の凝縮器や冷却ファン、気化加湿器又は冷風器のファン等へ直接かかる恐れを少なくできる。
【００１８】
フィルターの素材は様々なものが適用できるが、その中でも特に、母材の一部または全体に植毛繊維（パイル）等の微細な突起を設けたものである場合、本発明を適用すると特に高い効果を期待できる。そのようなフィルターに上方から水を給水した場合、水滴が突起に保持されて下に流れにくいため、フィルターの通風面全体に水が浸透するのに長い時間がかかるからである。本発明によれば、通風面全体が速やかに水で濡れるとともに、微細な突起により保水性も向上するため、極めて効率の高い冷却又は加湿性能を得ることができる。なお、植毛繊維としては、繰り返し親水性のある（繰り返し使用しても水を保持する能力を維持できる）パイル、例えば、レーヨンパイルが好適である。また、植毛繊維の母材表面への植設は、静電植毛法によって行うことができる。
【図面の簡単な説明】
【００１９】
【図１】本発明の補助冷却装置を付設した冷凍サイクルの一例を示す概略図である。
【図２】実施形態のフィルターへの水の浸透状態を模式的に示す説明図である。
【図３】実施形態と従来例のフィルターに水を給水した時点からのフィルターの入口空気と出口空気の温度差を示す特性曲線図である。
【図４】従来の補助冷却装置を付設した冷凍サイクルの一例を示す概略図である。
【図５】従来の気化加湿器の一例を示す斜視図である。
【図６】従来のフィルターへの水の浸透状態を模式的に示す説明図である。
【符号の説明】
【００２０】
２  凝縮器
１０  冷凍サイクル
２０  補助冷却装置
２１  フィルター
３０  給水装置
【図１】
2009243700.tif 000003
【図２】
2009243700.tif 000004
【図３】
2009243700.tif 000005
【図４】
2009243700.tif 000006
【図５】
2009243700.tif 000007
【図６】
2009243700.tif 000008